(57)【要約】【課題】交流電源を使用せず冷却水の供給流量を安定させる。【解決手段】被供給部に冷却水を送り出すポンプ３２，３５，３８と、ポンプ３２，３５，３８を稼働させるモータ３３，３６，３９と、モータ３３，３６，３９に駆動源を供給する駆動源供給部４１と、モータ３３，３６，３９の回転数を検出する回転数検出部４２と、回転数検出部４２により検出されたモータ３３，３６，３９の回転数および予め設定されたモータ３３，３６，３９の特性に基づきモータ３３，３６，３９の回転数を一定にするように駆動源供給部４１を制御する回転数制御部４３と、を備える。【選択図】図２
2019190966.tif 000002
【特許請求の範囲】
【請求項１】
被供給部に冷却水を送り出すポンプと、
前記ポンプを稼働させるモータと、
前記モータに駆動源を供給する駆動源供給部と、
前記モータの回転数を検出する回転数検出部と、
前記回転数検出部により検出された前記モータの回転数および予め設定された前記モータの特性に基づき前記モータの回転数を一定にするように前記駆動源供給部を制御する回転数制御部と、
を備える冷却水供給装置。
【請求項２】
前記ポンプは、ターボ形ポンプからなり、
前記ポンプにより送り出される前記冷却水の流量を検出する流量検出部と、
前記流量検出部により検出された前記冷却水の流量および予め設定された前記ポンプの流量揚程特性に基づき前記冷却水の流量を一定にする態様で前記駆動源供給部を制御する流量制御部と、
を備える請求項１に記載の冷却水供給装置。
【請求項３】
被供給部に冷却水を送り出すターボ形ポンプからなるポンプと、
前記ポンプを稼働させるモータと、
前記モータに駆動源を供給する駆動源供給部と、
前記ポンプにより送り出される前記冷却水の流量を検出する流量検出部と、
前記流量検出部により検出された前記冷却水の流量および予め設定された前記ポンプの流量揚程特性に基づき前記冷却水の流量を一定にする態様で前記駆動源供給部を制御する流量制御部と、
を備える冷却水供給装置。
【請求項４】
前記被供給部の圧力を検出する圧力検出部をさらに備え、
前記流量制御部は、前記圧力検出部により検出された前記被供給部の圧力が上昇し、かつ前記流量検出部により検出された前記冷却水の流量が減少した場合に、前記冷却水の流量を一定にする態様で前記駆動源の供給を増加させるように前記駆動源供給部を制御する請求項２または３に記載の冷却水供給装置。
【請求項５】
前記被供給部の圧力を検出する圧力検出部をさらに備え、
前記流量制御部は、前記圧力検出部により検出された前記被供給部の圧力が下降し、かつ前記流量検出部により検出された前記冷却水の流量が増加した場合に、前記冷却水の流量を一定にする態様で前記駆動源の供給を減少させるように前記駆動源供給部を制御する請求項２〜４のいずれか１つに記載の冷却水供給装置。
【請求項６】
前記モータは、前記駆動源供給部により供給される圧縮空気により駆動されるエア駆動モータである請求項１〜５のいずれか１つに記載の冷却水供給装置。
【請求項７】
前記モータは、前記駆動源供給部により供給される直流電圧により駆動される直流駆動モータである請求項１〜５のいずれか１つに記載の冷却水供給装置。
【請求項８】
前記モータは、前記駆動源供給部により供給される高圧液により駆動される液圧駆動モータである請求項１〜５のいずれか１つに記載の冷却水供給装置。
【請求項９】
原子力発電設備における非常用炉心冷却設備に用いられる請求項１〜８のいずれか１つに記載の冷却水供給装置。
【請求項１０】
駆動源供給部から供給される駆動源により駆動されるモータでポンプを稼働させて被供給部に冷却水を送り出す冷却水供給方法であって、
前記モータの回転数を検出する回転数検出工程と、
前記回転数検出工程により検出された前記モータの回転数および予め設定された前記モータの特性に基づき前記モータの回転数を一定にする態様で前記駆動源供給部を制御する回転数制御工程と、
を含む冷却水供給方法。
【請求項１１】
前記ポンプは、ターボ形ポンプからなり、
前記ポンプにより送り出される前記冷却水の流量を検出する流量検出工程と、
前記流量検出工程により検出された前記冷却水の流量および予め設定された前記ポンプの流量揚程特性に基づき前記冷却水の流量を一定にする態様で前記駆動源供給部を制御する流量制御工程と、
を含む請求項１０に記載の冷却水供給方法。
【請求項１２】
駆動源供給部から供給される駆動源により駆動されるモータでターボ形ポンプからなるポンプを稼働させて被供給部に冷却水を送り出す冷却水供給方法であって、
前記ポンプにより送り出される前記冷却水の流量を検出する流量検出工程と、
前記流量検出工程により検出された前記冷却水の流量および予め設定された前記ポンプの流量揚程特性に基づき前記冷却水の流量を一定にする態様で前記駆動源供給部を制御する流量制御工程と、
を含む冷却水供給方法。
【請求項１３】
前記被供給部の圧力を検出する圧力検出工程をさらに含み、
前記流量制御工程は、前記圧力検出工程により検出された前記被供給部の圧力が上昇し、かつ前記流量検出工程により検出された前記冷却水の流量が減少した場合に、前記冷却水の流量を一定にする態様で前記駆動源の供給を増加させるように前記駆動源供給部を制御する請求項１１または１２に記載の冷却水供給方法。
【請求項１４】
前記被供給部の圧力を検出する圧力検出工程をさらに含み、
前記流量制御工程は、前記圧力検出工程により検出された前記被供給部の圧力が下降し、かつ前記流量検出工程により検出された前記冷却水の流量が増加した場合に、前記冷却水の流量を一定にする態様で前記駆動源の供給を減少させるように前記駆動源供給部を制御する請求項１１〜１３のいずれか１つに記載の冷却水供給方法。
【発明の詳細な説明】
【技術分野】
【０００１】
本発明は、冷却水供給装置および冷却水供給方法に関する。
【背景技術】
【０００２】
日本の原子力発電設備は軽水炉と呼ばれる原子炉を使用している。軽水炉は加圧水型原子炉（Pressurized  Water  Reactor：ＰＷＲ）と沸騰水型原子炉（Boiling  Water  Reactor：ＢＷＲ）に大別できる。加圧水型原子炉は、核分裂反応によって生じた熱エネルギーで一次冷却材である加圧水を熱して蒸気発生器に通し、そこにおいて発生した二次冷却材の軽水の高温高圧蒸気によりタービン発電機を回すことで発電を行っている。沸騰水型原子炉は、軽水を原子炉冷却材とし、この軽水を炉心で沸騰させて蒸気を発生させ、その蒸気を直接タービン発電機に導き発電を行っている。
【０００３】
このような原子力発電設備では、例えば、地震などによる災害で冷却材用の配管が損傷し冷却材が失われた場合や、外部電源が喪失して冷却材用ポンプが停止した場合も想定し、緊急用の冷却装置を備えることで、継続的に炉心冷却ができるよう設計されている。例えば、加圧水型原子炉では、高圧で蓄えてある冷却水を炉心に入れる蓄圧注入系、ポンプを使い高圧の冷却水を炉心に送り込む高圧注入系、炉心内の圧力が下がってから使用する低圧注入系の３系統で構成される非常用炉心冷却設備（Emergency  Core  Cooling  System：ＥＣＣＳ）と、原子炉格納容器全体を冷却する格納容器スプレイ設備を備えている（例えば、特許文献１参照）。
【０００４】
特許文献１における非常用炉心冷却設備や格納容器スプレイ設備の使用には交流電源を必要とする。そのため、原子力発電設備全体に影響する大規模地震などで、いわゆる外部電源喪失(Black  Out：ＢＯ)が発生した場合にも備えるため、原子力発電設備内には予備電源として非常用ディーゼル発電機も準備されている。さらに、これらの予備電源が一時的に使用できない全交流電源喪失（Station  Black  Out：ＳＢＯ）も想定し、蒸気発生器で得られた蒸気で駆動するタービンを動力源とする非常冷却用給水ポンプも備えている。この給水ポンプをタービン動給水ポンプと呼び、復水タンクまたはピットにためた冷却水を蒸気発生器や炉心に送ることができるようになっている。
【０００５】
このように原子力発電設備は、全交流電源を一時的に喪失した場合でも、タービン動補助給水ポンプによって炉心冷却を継続させ、その間に非常用ディーゼル発電機の運転開始と所内電源の復旧を行うことで、通常設備での原子炉冷却が回復できるような安全設計が行われている。
【先行技術文献】
【特許文献】
【０００６】
【特許文献１】特開２０１４−０１０１１３号公報
【発明の概要】
【発明が解決しようとする課題】
【０００７】
これら設備機能に満足することなく、さらなる安全性と信頼性を確保するため、交流電源を使用しない冷却水供給装置が切望されている。しかし、交流電源を使用しない場合、冷却水の供給流量を安定させる工夫が必要である。
【０００８】
本発明は、上述した課題を解決するものであり、交流電源を使用せず冷却水の供給流量を安定させることでのできる冷却水供給装置および冷却水供給方法を提供することを目的とする。
【課題を解決するための手段】
【０００９】
上述の目的を達成するために、本発明の一態様に係る冷却水供給装置は、被供給部に冷却水を送り出すポンプと、前記ポンプを稼働させるモータと、前記モータに駆動源を供給する駆動源供給部と、前記モータの回転数を検出する回転数検出部と、前記回転数検出部により検出された前記モータの回転数および予め設定された前記モータの特性に基づき前記モータの回転数を一定にするように前記駆動源供給部を制御する回転数制御部と、を備える。
【００１０】
本発明の一態様に係る冷却水供給装置では、前記ポンプは、ターボ形ポンプからなり、前記ポンプにより送り出される前記冷却水の流量を検出する流量検出部と、前記流量検出部により検出された前記冷却水の流量および予め設定された前記ポンプの流量揚程特性に基づき前記冷却水の流量を一定にする態様で前記駆動源供給部を制御する流量制御部と、を備える。
【００１１】
上述の目的を達成するために、本発明の一態様に係る冷却水供給装置は、被供給部に冷却水を送り出すターボ形ポンプからなるポンプと、前記ポンプを稼働させるモータと、前記モータに駆動源を供給する駆動源供給部と、前記ポンプにより送り出される前記冷却水の流量を検出する流量検出部と、前記流量検出部により検出された前記冷却水の流量および予め設定された前記ポンプの流量揚程特性に基づき前記冷却水の流量を一定にする態様で前記駆動源供給部を制御する流量制御部と、を備える。
【００１２】
本発明の一態様に係る冷却水供給装置では、前記被供給部の圧力を検出する圧力検出部をさらに備え、前記流量制御部は、前記圧力検出部により検出された前記被供給部の圧力が上昇し、かつ前記流量検出部により検出された前記冷却水の流量が減少した場合に、前記冷却水の流量を一定にする態様で前記駆動源の供給を増加させるように前記駆動源供給部を制御する。
【００１３】
本発明の一態様に係る冷却水供給装置では、前記被供給部の圧力を検出する圧力検出部をさらに備え、前記流量制御部は、前記圧力検出部により検出された前記被供給部の圧力が下降し、かつ前記流量検出部により検出された前記冷却水の流量が増加した場合に、前記冷却水の流量を一定にする態様で前記駆動源の供給を減少させるように前記駆動源供給部を制御する。
【００１４】
本発明の一態様に係る冷却水供給装置では、前記モータは、前記駆動源供給部により供給される圧縮空気により駆動されるエア駆動モータである。
【００１５】
本発明の一態様に係る冷却水供給装置では、前記モータは、前記駆動源供給部により供給される直流電圧により駆動される直流駆動モータである。
【００１６】
本発明の一態様に係る冷却水供給装置では、前記モータは、前記駆動源供給部により供給される高圧液により駆動される液圧駆動モータである。
【００１７】
本発明の一態様に係る冷却水供給装置では、原子力発電設備における非常用炉心冷却設備に用いられる。
【００１８】
上述の目的を達成するために、本発明の一態様に係る冷却水供給方法は、駆動源供給部から供給される駆動源により駆動されるモータでポンプを稼働させて被供給部に冷却水を送り出す冷却水供給方法であって、前記モータの回転数を検出する回転数検出工程と、前記回転数検出工程により検出された前記モータの回転数および予め設定された前記モータの特性に基づき前記モータの回転数を一定にする態様で前記駆動源供給部を制御する回転数制御工程と、を含む。
【００１９】
本発明の一態様に係る冷却水供給方法では、前記ポンプは、ターボ形ポンプからなり、前記ポンプにより送り出される前記冷却水の流量を検出する流量検出工程と、前記流量検出工程により検出された前記冷却水の流量および予め設定された前記ポンプの流量揚程特性に基づき前記冷却水の流量を一定にする態様で前記駆動源供給部を制御する流量制御工程と、を含む。
【００２０】
上述の目的を達成するために、本発明の一態様に係る冷却水供給方法は、駆動源供給部から供給される駆動源により駆動されるモータでターボ形ポンプからなるポンプを稼働させて被供給部に冷却水を送り出す冷却水供給方法であって、前記ポンプにより送り出される前記冷却水の流量を検出する流量検出工程と、前記流量検出工程により検出された前記冷却水の流量および予め設定された前記ポンプの流量揚程特性に基づき前記冷却水の流量を一定にする態様で前記駆動源供給部を制御する流量制御工程と、を含む。
【００２１】
本発明の一態様に係る冷却水供給方法では、前記被供給部の圧力を検出する圧力検出工程をさらに含み、前記流量制御工程は、前記圧力検出工程により検出された前記被供給部の圧力が上昇し、かつ前記流量検出工程により検出された前記冷却水の流量が減少した場合に、前記冷却水の流量を一定にする態様で前記駆動源の供給を増加させるように前記駆動源供給部を制御する。
【００２２】
本発明の一態様に係る冷却水供給方法では、前記被供給部の圧力を検出する圧力検出工程をさらに含み、前記流量制御工程は、前記圧力検出工程により検出された前記被供給部の圧力が下降し、かつ前記流量検出工程により検出された前記冷却水の流量が増加した場合に、前記冷却水の流量を一定にする態様で前記駆動源の供給を減少させるように前記駆動源供給部を制御する。
【発明の効果】
【００２３】
本発明によれば、冷却水を供給する被供給部における圧力変化などに伴うポンプの負荷変動に応じてモータの回転数が変化しても、当該回転数を一定にすることで、ポンプにより送り出す冷却水の流量を安定させることができる。また、本発明によれば、冷却水を供給する被供給部における圧力変化などに応じてポンプの流量が変化しても、当該流量を一定にすることで、ポンプにより送り出す冷却水の流量を安定させることができる。この結果、周波数に基づき回転数が一定の交流電源モータを使用しなくても冷却水の供給流量を安定させることができる。
【図面の簡単な説明】
【００２４】
【図１】図１は、本発明の実施形態に係る原子力発電設備の非常用炉心冷却設備の系統図である。
【図２】図２は、本発明の実施形態１に係る冷却水供給装置の構成図である。
【図３】図３は、本発明の実施形態１に係る冷却水供給方法の説明図である。
【図４】図４は、本発明の実施形態２に係る冷却水供給装置の構成図である。
【図５】図５は、本発明の実施形態２に係る冷却水供給方法の説明図である。
【図６】図６は、本発明の実施形態２に係る冷却水供給方法の説明図である。
【発明を実施するための形態】
【００２５】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００２６】
図１は、本実施形態に係る原子力発電設備の非常用炉心冷却設備の系統図である。
【００２７】
原子力発電設備１００において、原子炉格納容器１の内部には、加圧水型原子炉炉心２、蒸気発生器３、中性子吸収剤であるほう酸水が貯蔵された蓄圧タンク４、一次冷却材ポンプ５が格納されており、加圧水型原子炉炉心（原子炉圧力容器）２、蒸気発生器３、前記蓄圧タンク４は、冷却材配管６，７，８を介して連結され、一次冷却材ポンプ５により一次冷却材が循環するようになっている。
【００２８】
加圧水型原子炉炉心２は、炉心内部で沸騰しない高圧高温水を作り、これを蒸気発生器３に導き、蒸気発生器３の中の図示しない伝熱管によって一次系から二次系に熱を伝えることで、二次側に飽和蒸気を発生させ、この飽和蒸気によりタービン９を駆動し、その回転エネルギーを発電機１０で電気に変換することで発電を行っている。
【００２９】
タービン９に送られた飽和蒸気は、復水器１１で蒸気から水に戻され主給水ポンプ１２で蒸気発生器３に輸送される。一方、復水器１１で蒸気を冷却した海水は温排水となって海へ排出される。
【００３０】
原子力発電設備１００では、例えば、地震などによる災害で冷却材用の配管が損傷し冷却材が失われた場合や、外部電源が喪失して冷却材用ポンプが停止した場合も想定し、緊急用の冷却装置を備えることで、継続的に炉心冷却ができるよう設計されている。例えば、加圧水型原子炉では、高圧で蓄えてある冷却水を加圧水型原子炉炉心２に入れる蓄圧注入系、ポンプを使い高圧の冷却水を加圧水型原子炉炉心２に送り込む高圧注入系、加圧水型原子炉炉心２の内部の圧力が下がってから使用する低圧注入系の３系統で構成される非常用炉心冷却設備（ＥＣＣＳ）と、原子炉格納容器１の内部全体を冷却する格納容器スプレイ設備を備えている。
【００３１】
蓄圧注入系は、蓄圧タンク４と図示しない逆止弁、入口弁などから構成され、一次冷却材喪失で一次冷却系内の圧力が蓄圧タンク４内の圧力以下に低下すると、逆止弁が自動的に開き、中性子吸収剤であるほう酸水が加圧水型原子炉炉心２に注水され、加圧水型原子炉炉心２が冷却される。これにより、燃料と燃料被覆管の損傷が防止され、かつ、燃料被覆管のジルコニウムと水の反応による水素発生を十分小さな量に抑えることができる。
【００３２】
高圧注入系は、高圧注入ポンプ１４、配管１５、図示しない電磁弁などから構成され、一次冷却材が喪失した場合に、高圧注入ポンプ１４が起動し、燃料取替用水タンクまたはピット１３のホウ酸水が加圧水型原子炉炉心２に注入される。燃料取替用水タンクまたはピット１３の水位が低くなると水源を格納容器サンプ１６に切り替えて注水が継続され、再循環モードに移行する。
【００３３】
低圧注入系は、余熱除去ポンプ１７、および配管１８、図示しない電磁弁、図示しない余熱除去冷却器などから構成されており、燃料取替用水タンクまたはピット１３のホウ酸水が加圧水型原子炉炉心２に注入され、外部電源喪失時には図示しないディーゼル発電機から給電される。低圧注入系においても、燃料取替用水タンクまたはピット１３の水位が低くなると、水源を格納容器サンプ１６に切り替えて注水が継続され、再循環モードに移行する。
【００３４】
格納容器スプレイ設備は、格納容器スプレイポンプ１９、図示しない格納容器スプレイ冷却器、図示しないヨウ素除去薬品タンク、配管２０などから構成されており、冷却水を噴射ノズル２１で噴射することで原子炉格納容器１の内部全体を冷却する。
【００３５】
なお、高圧注入系、低圧注入系、格納容器スプレイ設備に使用されている電動のポンプ１４，１７，１９、および電磁弁は外部からの交流電源の電力供給を得て駆動するが、全交流電源喪失時においては、図示しない非常用ディーゼル発電機からポンプ１４，１７，１９に給電するようになっている。
【００３６】
以上の安全対策に加え、さらに原子力発電設備１００の冷却系には、全交流電源喪失時に非常用ディーゼル発電機や海水ポンプが一時的に使用できなくなった場合も想定し、補助冷却系として本実施形態の冷却水供給装置および冷却水供給方法が適用される。
【００３７】
例えば、本実施形態の冷却水供給装置は、上述した高圧注入系に接続される補助高圧注入系として、バイパス配管３１、補助高圧注入ポンプ３２、補助高圧注入モータ３３を含む。バイパス配管３１は、燃料取替用水タンクまたはピット１３、および格納容器サンプ１６に一端が接続され、他端が配管１５における高圧注入ポンプ１４の下流側に接続されている。補助高圧注入ポンプ３２は、バイパス配管３１に設けられている。補助高圧注入モータ３３は、補助高圧注入ポンプ３２を稼働させる。従って、補助高圧注入系は、高圧注入系が使用できなくなった場合に、補助高圧注入モータ３３により補助高圧注入ポンプ３２を稼働させ、バイパス配管３１を介して燃料取替用水タンクまたはピット１３、および格納容器サンプ１６の冷却水を高圧注入系の代わりに加圧水型原子炉炉心２に注入する。
【００３８】
また、本実施形態の冷却水供給装置は、上述した低圧注入系に接続される補助低圧注入系として、バイパス配管３４、補助余熱除去ポンプ３５、補助余熱除去モータ３６を含む。バイパス配管３４は、燃料取替用水タンクまたはピット１３、および格納容器サンプ１６に一端が接続され、他端が配管１８における余熱除去ポンプ１７の下流側に接続されている。補助余熱除去ポンプ３５は、バイパス配管３４に設けられている。補助余熱除去モータ３６は、補助余熱除去ポンプ３５を稼働させる。従って、補助低圧注入系は、低圧注入系が使用できなくなった場合に、補助余熱除去モータ３６により補助余熱除去ポンプ３５を稼働させ、バイパス配管３４を介して燃料取替用水タンクまたはピット１３、および格納容器サンプ１６の冷却水を低圧注入系の代わりに加圧水型原子炉炉心２に注入する。
【００３９】
また、本実施形態の冷却水供給装置は、上述した格納容器スプレイ設備に接続される補助格納容器スプレイ設備として、バイパス配管３７、補助格納容器スプレイポンプ３８、補助格納容器スプレイモータ３９を含む。バイパス配管３７は、燃料取替用水タンクまたはピット１３、および格納容器サンプ１６に一端が接続され、他端が配管２０における格納容器スプレイポンプ１９の下流側に接続されている。補助格納容器スプレイポンプ３８は、バイパス配管３７に設けられている。補助格納容器スプレイモータ３９は、補助格納容器スプレイポンプ３８を稼働させる。従って、補助格納容器スプレイ設備は、格納容器スプレイ設備が使用できなくなった場合に、補助格納容器スプレイモータ３９により補助格納容器スプレイポンプ３８を稼働させ、バイパス配管３７を介して燃料取替用水タンクまたはピット１３、および格納容器サンプ１６の冷却水を格納容器スプレイ設備の代わりに原子炉格納容器１の内部に噴射ノズル２１で噴射する。
【００４０】
なお、補助冷却系としては、補助高圧注入系、補助低圧注入系、補助格納容器スプレイ設備に限定されるものではなく、図には明示しないが、原子力発電設備１００において主の供給装置が使用できない場合の補助として加圧水型原子炉炉心２や原子炉格納容器１の内部などの被供給部に冷却水を供給する装置として適用される。
【００４１】
［実施形態１］
以下、実施形態１の冷却水供給装置および冷却水供給方法の詳細について説明する。図２は、実施形態１に係る冷却水供給装置の構成図である。
【００４２】
図２は、上述した補助冷却系を示しており、バイパス配管３１、補助高圧注入ポンプ３２、補助高圧注入モータ３３、バイパス配管３４、補助余熱除去ポンプ３５、補助余熱除去モータ３６、バイパス配管３７、補助格納容器スプレイポンプ３８、補助格納容器スプレイモータ３９に相当する部分に同一の符号を付している。だたし、以下の説明において、補助高圧注入ポンプ３２、補助余熱除去ポンプ３５、補助格納容器スプレイポンプ３８を総称して「ポンプ」と称し、補助高圧注入モータ３３、補助余熱除去モータ３６、補助格納容器スプレイモータ３９を総称して「モータ」と称する。
【００４３】
実施形態１の冷却水供給装置は、図２に示すように、ポンプ３２，３５，３８と、モータ３３，３６，３９と、駆動源供給部４１と、回転数検出部４２と、回転数制御部４３と、を含む。
【００４４】
ポンプ３２，３５，３８は、被供給部に冷却水を送り出すもので、ターボ形ポンプ（遠心ポンプ、斜流ポンプ、軸流ポンプを含む）や容積形ポンプ（回転ポンプ、往復ポンプを含む）が適用される。
【００４５】
モータ３３，３６，３９は、ポンプ３２，３５，３８を稼働させるもので、圧縮空気により駆動されるエア駆動モータや、直流電圧により駆動される直流駆動モータや、高圧液により駆動される液圧駆動モータ（水車駆動モータ）が適用される。
【００４６】
駆動源供給部４１は、モータ３３，３６，３９に駆動源を供給するものである。駆動源供給部４１は、モータ３３，３６，３９がエア駆動モータの場合、圧縮空気を生成する圧縮機と、圧縮機により生成された圧縮空気を蓄える蓄圧器（アキュームレータ）と、蓄圧器に蓄えられた圧縮空気をエア駆動モータに送る際に調圧する調圧器（レギュレータ）と、を含む。圧縮機は、例えば、ディーゼルエンジンにより駆動される。従って、駆動源供給部４１は、圧縮機により生成された圧縮空気（駆動源）を蓄圧器に蓄えつつ、調圧器により調圧してエア駆動モータに供給する。
【００４７】
また、駆動源供給部４１は、モータ３３，３６，３９が直流駆動モータの場合、直流電源が蓄えられるバッテリーと、バッテリーに蓄えられた直流電源を直流駆動モータに送る際に電圧を変圧する変圧器と、を含む。従って、駆動源供給部４１は、バッテリーに蓄えられた直流電源（駆動源）を変圧器により変圧して直流駆動モータに供給する。
【００４８】
また、駆動源供給部４１は、モータ３３，３６，３９が液圧駆動モータの場合、高圧液（例えば、水）を送水する供給ポンプと、供給ポンプにより送水された高圧液を液圧駆動モータに送る際に流量調整する調速機と、を含む。駆動源供給部４１は、例えば、移動が可能なポンプ車が適用される。また、供給ポンプは、原子力発電設備１００にて発生する蒸気により稼働される蒸気により駆動されてもよい。従って、駆動源供給部４１は、供給ポンプにより送水された高圧液（駆動源）により流量調整して液圧駆動モータに供給する。
【００４９】
回転数検出部４２は、モータ３３，３６，３９においてポンプ３２，３５，３８を稼働させる回転軸の回転数を検出する。
【００５０】
回転数制御部４３は、例えば、コンピュータであり、図には明示しないが、演算処理装置、記憶装置などにより実現され、表示装置、入力装置、音声出力装置、ドライブ装置、および入出力インターフェース装置を有してもよい。演算処理装置は、ＣＰＵ（Central  Processing  Unit）のようなマイクロプロセッサを含む。記憶装置は、ＲＯＭやＲＡＭのようなメモリおよびストレージを含む。演算処理装置は、記憶装置に記憶されているコンピュータプログラムに従って演算処理を実施する。表示装置は、フラットパネルディスプレイを含む。入力装置は、操作されることにより入力データを生成するもので、キーボードおよびマウスの少なくとも一方を含む。なお、入力装置が表示装置の表示画面に設けられたタッチセンサを含んでもよい。音声出力装置は、スピーカーを含む。ドライブ装置は、回転数制御部４３を実行させるためのプログラムなどのデータが記録された記録媒体からデータを読み出す。記録媒体は、ＣＤ−ＲＯＭ、フレキシブルディスク、光磁気ディスクなどのように情報を光学的、電気的或いは磁気的に記録する記録媒体、ＲＯＭ、フラッシュメモリなどの様に情報を電気的に記録する半導体メモリなど、様々なタイプの記録媒体を用いることができる。入出力インターフェース装置は、演算処理装置と記憶装置と表示装置と入力装置と音声出力装置とドライブ装置との間でデータ通信する。
【００５１】
回転数制御部４３は、回転数検出部４２により検出されたモータ３３，３６，３９の回転数を入力する。また、回転数制御部４３は、予め設定されたモータ３３，３６，３９の特性が記憶装置に記憶されており、当該特性を記憶装置から取得する。そして、回転数制御部４３は、モータ３３，３６，３９の回転数およびモータ３３，３６，３９の特性に基づき、モータ３３，３６，３９の回転数を一定にするように駆動源供給部４１を制御する。駆動源供給部４１において制御対象となるものは、モータ３３，３６，３９がエア駆動モータの場合は調圧器であり、モータ３３，３６，３９が直流駆動モータの場合は変圧器であり、モータ３３，３６，３９が液圧駆動モータの場合は調速器である。
【００５２】
実施形態１の冷却水供給装置の動作（冷却水供給方法）について説明する。図３は、実施形態１に係る冷却水供給方法の説明図である。
【００５３】
モータ３３，３６，３９がエア駆動モータや直流駆動モータや液圧駆動モータの場合、負荷とバランスする回転数で落ち着く。このため、冷却水を供給する被供給部における圧力変化などに伴うポンプ３２，３５，３８の負荷変動に応じてモータ３３，３６，３９の回転数が変化する。この結果、ポンプ３２，３５，３８により送り出す冷却水の流量が不安定になる。実施形態１の冷却水供給装置および冷却水供給方法では、この問題を解決する。
【００５４】
具体的には、図３に示すように、定常状態では、モータ３３，３６，３９は、定常の回転数Ｎ０およびトルクＴ０でバランスしている。ここで、被供給部における圧力変化などにより、ポンプ３２，３５，３８の負荷が大きくなると、モータ３３，３６，３９は、トルクＴ１に上昇して回転数Ｎ１に低下する。ここで、回転数制御部４３は、回転数検出部４２により検出されたモータ３３，３６，３９の回転数Ｎ１を入力し、所定範囲の回転数の閾値より低下していると判断する。そこで、回転数制御部４３は、回転数検出部４２により検出されたモータ３３，３６，３９の回転数Ｎ１から、定常時の回転数Ｎ０にするため、モータ３３，３６，３９の特性に基づいて回転数Ｎ０に上昇させるためのポンプ３２，３５，３８の負荷に合うトルクＴ１’でバランスするように駆動源供給部４１を制御する。具体的に、回転数制御部４３は、駆動源供給部４１においてモータ３３，３６，３９がエア駆動モータの場合は調圧器によりエア圧を増加させ、モータ３３，３６，３９が直流駆動モータの場合は変圧器により電圧を増加させ、モータ３３，３６，３９が液圧駆動モータの場合は調速器により高圧液流量を増加させる。図３では、エア圧増加で示している。
【００５５】
逆に、被供給部における圧力変化などにより、ポンプ３２，３５，３８の負荷が小さくなると、モータ３３，３６，３９は、トルクＴ２に低下して回転数Ｎ２に上昇する。そこで、回転数制御部４３は、回転数検出部４２により検出されたモータ３３，３６，３９の回転数Ｎ２から、定常時と同様の回転数Ｎ０にするため、モータ３３，３６，３９の特性に基づいて回転数Ｎ０に低下させてポンプ３２，３５，３８の負荷に合うトルクＴ２’でバランスするように駆動源供給部４１を制御する。具体的に、回転数制御部４３は、駆動源供給部４１においてモータ３３，３６，３９がエア駆動モータの場合は調圧器によりエア圧を低下させ、モータ３３，３６，３９が直流駆動モータの場合は変圧器により電圧を低下させ、モータ３３，３６，３９が液圧駆動モータの場合は調速器により高圧液流量を低下させる。図３では、エア圧低下で示している。
【００５６】
このように、回転数制御部４３は、モータ３３，３６，３９の回転数を監視して、駆動源供給部４１をフィードバック制御する。
【００５７】
従って、実施形態１の冷却水供給装置は、被供給部に冷却水を送り出すポンプ３２，３５，３８と、ポンプ３２，３５，３８を稼働させるモータ３３，３６，３９と、モータ３３，３６，３９に駆動源を供給する駆動源供給部４１と、モータ３３，３６，３９の回転数を検出する回転数検出部４２と、回転数検出部４２により検出されたモータ３３，３６，３９の回転数および予め設定されたモータ３３，３６，３９の特性に基づきモータ３３，３６，３９の回転数を一定にするように駆動源供給部４１を制御する回転数制御部４３と、を備える。
【００５８】
実施形態１の冷却水供給方法は、駆動源供給部４１から供給される駆動源により駆動されるモータ３３，３６，３９でポンプ３２，３５，３８を稼働させて被供給部に冷却水を送り出す冷却水供給方法であって、モータ３３，３６，３９の回転数を検出する回転数検出工程と、回転数検出工程により検出されたモータ３３，３６，３９の回転数および予め設定されたモータ３３，３６，３９の特性に基づきモータ３３，３６，３９の回転数を一定にするように駆動源供給部４１を制御する回転数制御工程と、を含む。
【００５９】
この冷却水供給装置および冷却水供給方法によれば、冷却水を供給する被供給部における圧力変化などに伴うポンプ３２，３５，３８の負荷変動に応じてモータ３３，３６，３９の回転数が変化しても、当該回転数を一定にすることで、ポンプ３２，３５，３８により送り出す冷却水の流量を安定させることができる。この結果、周波数に基づき回転数が一定の交流電源モータを使用しなくても冷却水の供給流量を安定させることができる。
【００６０】
［実施形態２］
以下、実施形態２の冷却水供給装置および冷却水供給方法の詳細について説明する。図４は、実施形態２に係る冷却水供給装置の構成図である。
【００６１】
図４は、上述した補助冷却系を示しており、バイパス配管３１、補助高圧注入ポンプ３２、補助高圧注入モータ３３、バイパス配管３４、補助余熱除去ポンプ３５、補助余熱除去モータ３６、バイパス配管３７、補助格納容器スプレイポンプ３８、補助格納容器スプレイモータ３９に相当する部分に同一の符号を付している。だたし、以下の説明において、補助高圧注入ポンプ３２、補助余熱除去ポンプ３５、補助格納容器スプレイポンプ３８を総称して「ポンプ」と称し、補助高圧注入モータ３３、補助余熱除去モータ３６、補助格納容器スプレイモータ３９を総称して「モータ」と称する。
【００６２】
実施形態２の冷却水供給装置は、図４に示すように、ポンプ３２，３５，３８と、モータ３３，３６，３９と、駆動源供給部４１と、流量検出部４４と、圧力検出部４５と、流量制御部４６と、を含む。
【００６３】
ポンプ３２，３５，３８は、被供給部に冷却水を送り出すもので、ターボ形ポンプ（遠心ポンプ、斜流ポンプ、軸流ポンプを含む）である。
【００６４】
モータ３３，３６，３９は、ポンプ３２，３５，３８を稼働させるもので、圧縮空気により駆動されるエア駆動モータや、直流電圧により駆動される直流駆動モータや、高圧液により駆動される液圧駆動モータ（水車駆動モータ）が適用される。
【００６５】
駆動源供給部４１は、モータ３３，３６，３９に駆動源を供給するものである。駆動源供給部４１は、モータ３３，３６，３９がエア駆動モータの場合、圧縮空気を生成する圧縮機と、圧縮機により生成された圧縮空気を蓄える蓄圧器（アキュームレータ）と、蓄圧器に蓄えられた圧縮空気をエア駆動モータに送る際に調圧する調圧器（レギュレータ）と、を含む。圧縮機は、例えば、ディーゼルエンジンにより駆動される。従って、駆動源供給部４１は、圧縮機により生成された圧縮空気（駆動源）を蓄圧器に蓄えつつ、調圧器により調圧してエア駆動モータに供給する。
【００６６】
また、駆動源供給部４１は、モータ３３，３６，３９が直流駆動モータの場合、直流電源が蓄えられるバッテリーと、バッテリーに蓄えられた直流電源を直流駆動モータに送る際に電圧を変圧する変圧器と、を含む。従って、駆動源供給部４１は、バッテリーに蓄えられた直流電源（駆動源）を変圧器により変圧して直流駆動モータに供給する。
【００６７】
また、駆動源供給部４１は、モータ３３，３６，３９が液圧駆動モータの場合、高圧液（例えば、水）を送水する供給ポンプと、供給ポンプにより送水された高圧液を液圧駆動モータに送る際に流量調整する調速器と、を含む。駆動源供給部４１は、例えば、移動が可能なポンプ車が適用される。また、供給ポンプは、原子力発電設備１００にて発生する蒸気により稼働される蒸気により駆動されてもよい。従って、駆動源供給部４１は、供給ポンプにより送水された高圧液（駆動源）により流量調整して液圧駆動モータに供給する。
【００６８】
流量検出部４４は、ポンプ３２，３５，３８により送り出される冷却水の流量を検出する。
【００６９】
圧力検出部４５は、被供給部である加圧水型原子炉炉心２の圧力を検出する。
【００７０】
流量制御部４６は、例えば、コンピュータであり、図には明示しないが、演算処理装置、記憶装置などにより実現され、表示装置、入力装置、音声出力装置、ドライブ装置、および入出力インターフェース装置を有してもよい。演算処理装置は、ＣＰＵ（Central  Processing  Unit）のようなマイクロプロセッサを含む。記憶装置は、ＲＯＭやＲＡＭのようなメモリおよびストレージを含む。演算処理装置は、記憶装置に記憶されているコンピュータプログラムに従って演算処理を実施する。表示装置は、フラットパネルディスプレイを含む。入力装置は、操作されることにより入力データを生成するもので、キーボードおよびマウスの少なくとも一方を含む。なお、入力装置が表示装置の表示画面に設けられたタッチセンサを含んでもよい。音声出力装置は、スピーカーを含む。ドライブ装置は、流量制御部４６を実行させるためのプログラムなどのデータが記録された記録媒体からデータを読み出す。記録媒体は、ＣＤ−ＲＯＭ、フレキシブルディスク、光磁気ディスクなどのように情報を光学的、電気的或いは磁気的に記録する記録媒体、ＲＯＭ、フラッシュメモリなどの様に情報を電気的に記録する半導体メモリなど、様々なタイプの記録媒体を用いることができる。入出力インターフェース装置は、演算処理装置と記憶装置と表示装置と入力装置と音声出力装置とドライブ装置との間でデータ通信する。
【００７１】
流量制御部４６は、流量検出部４４により検出されたポンプ３２，３５，３８で送り出される冷却水の流量を入力する。また、流量制御部４６は、圧力検出部４５により検出された被供給部（加圧水型原子炉炉心２）の圧力を入力する。また、流量制御部４６は、予め設定されたポンプ３２，３５，３８の流量揚程特性が記憶装置に記憶されており、当該流量揚程特性を記憶装置から取得する。そして、流量制御部４６は、冷却水の流量、被供給部の圧力、およびポンプ３２，３５，３８の流量揚程特性に基づき、ポンプ３２，３５，３８で送り出される冷却水の流量を一定にするように駆動源供給部４１を制御する。駆動源供給部４１において制御対象となるものは、モータ３３，３６，３９がエア駆動モータの場合は調圧器であり、モータ３３，３６，３９が直流駆動モータの場合は変圧器であり、モータ３３，３６，３９が液圧駆動モータの場合は調速器である。
【００７２】
実施形態２の冷却水供給装置の動作（冷却水供給方法）について説明する。図５は、実施形態２に係る冷却水供給方法の説明図である。図６は、実施形態２に係る冷却水供給方法の説明図である。
【００７３】
遠心ポンプのようなターボ形ポンプの場合、モータ３３，３６，３９の回転数を一定としても、図５に示すように、被供給部である加圧水型原子炉炉心２における圧力が高くなると、ポンプ３２，３５，３８が送り出す冷却水の流量が減少する。この場合、状況によっては冷却に必要な冷却水の流量を確保できないおそれがある。実施形態２の冷却水供給装置では、この問題を解決する。
【００７４】
具体的には、図５に示すように、定常状態では、ポンプ３２，３５，３８は、流量Ｑ０および揚程Ｈ０でバランスしている。ここで、被供給部における圧力上昇により、冷却水を送る配管の流動抵抗が大きくなると、モータ３３，３６，３９の回転数を一定となるように制御していても、ターボ形ポンプの特性から、ポンプ３２，３５，３８は、揚程Ｈ１に上昇して流量Ｑ１が減少する。ここで、流量制御部４６は、流量検出部４４により検出されたポンプ３２，３５，３８で送り出される冷却水の流量Ｑ１を入力し、所定範囲の流量の閾値より低下していると共に、圧力検出部４５により検出された被供給部の圧力を入力して圧力上昇が起因して流量が減少していることを判断する。そこで、流量制御部４６は、流量検出部４４により検出されたポンプ３２，３５，３８の流量Ｑ１から定常時の流量Ｑ０にするため、ポンプ３２，３５，３８の流量揚程特性に基づいて流量Ｑ０に増加させるためのポンプ３２，３５，３８の揚程Ｈ１’でバランスするように駆動源供給部４１を制御し、ポンプ３２，３５，３８の回転数を増加させる。具体的に、流量制御部４６は、駆動源供給部４１においてモータ３３，３６，３９がエア駆動モータの場合は調圧器によりエア圧を増加させ、モータ３３，３６，３９が直流駆動モータの場合は変圧器により電圧を増加させ、モータ３３，３６，３９が液圧駆動モータの場合は調速器により高圧液流量を増加させる。このように、流量制御部４６は、ポンプ３２，３５，３８の流量および被供給部の圧力を監視して、駆動源供給部４１をフィードバック制御する。
【００７５】
なお、流量制御部４６は、圧力検出部４５により検出された被供給部の圧力を入力しなくてもよい。即ち、流量制御部４６は、流量検出部４４により検出されたポンプ３２，３５，３８で送り出される冷却水の流量のみを入力し、当該流量が所定範囲の閾値より低下している場合、ポンプ３２，３５，３８の流量揚程特性に基づいて流量Ｑ０に増加させるためのポンプ３２，３５，３８の揚程Ｈ１’でバランスするように駆動源供給部４１を制御してもよい。
【００７６】
また、図６に示すように、被供給部である加圧水型原子炉炉心２における圧力が低くなると、過大流量域では、ポンプ３２，３５，３８が有効吸込水頭（Net  Positive  Suction  Head：ＮＰＳＨ）不足になって冷却水の送り出しができなくなるおそれがある。場合によってはポンプ３２，３５，３８にキャビテーションを発生して破損するおそれがある。実施形態２の冷却水供給装置では、この問題を解決する。
【００７７】
具体的には、図６に示すように、定常状態では、ポンプ３２，３５，３８は、流量Ｑ０および揚程Ｈ０でバランスしている。ここで、被供給部における圧力低下により、冷却水を送る配管の流動抵抗が小さくなると、モータ３３，３６，３９の回転数を一定となるように制御していても、ターボ形ポンプの特性から、ポンプ３２，３５，３８は、揚程Ｈ２に低下して流量Ｑ２が増加する。ここで、流量制御部４６は、流量検出部４４により検出されたポンプ３２，３５，３８で送り出される冷却水の流量Ｑ２を入力し、所定範囲の流量の閾値より上昇していると共に、圧力検出部４５により検出された被供給部の圧力を入力して圧力上昇を起因として流量が増加していることを判断する。そこで、流量制御部４６は、流量検出部４４により検出されたポンプ３２，３５，３８の流量Ｑ２から定常時の流量Ｑ０にするため、ポンプ３２，３５，３８の流量揚程特性に基づいて流量Ｑ０に減少させるためのポンプ３２，３５，３８の揚程Ｈ２’でバランスするように駆動源供給部４１を制御し、ポンプ３２，３５，３８の回転数を低下させる。具体的に、流量制御部４６は、駆動源供給部４１においてモータ３３，３６，３９がエア駆動モータの場合は調圧器によりエア圧を低下させ、モータ３３，３６，３９が直流駆動モータの場合は変圧器により電圧を低下させ、モータ３３，３６，３９が液圧駆動モータの場合は調圧器により液圧を低下させる。このように、流量制御部４６は、ポンプ３２，３５，３８の流量および被供給部の圧力を監視して、駆動源供給部４１をフィードバック制御する。
【００７８】
なお、流量制御部４６は、圧力検出部４５により検出された被供給部の圧力を入力しなくてもよい。即ち、流量制御部４６は、流量検出部４４により検出されたポンプ３２，３５，３８で送り出される冷却水の流量のみを入力し、当該流量が所定範囲の閾値より上昇している場合、ポンプ３２，３５，３８の流量揚程特性に基づいて流量Ｑ０に増加させるためのポンプ３２，３５，３８の揚程Ｈ２’でバランスするように駆動源供給部４１を制御してもよい。
【００７９】
従って、実施形態２の冷却水供給装置は、被供給部に冷却水を送り出すターボ形ポンプからなるポンプ３２，３５，３８と、ポンプ３２，３５，３８を稼働させるモータ３３，３６，３９と、モータ３３，３６，３９に駆動源を供給する駆動源供給部４１と、ポンプ３２，３５，３８により送り出される冷却水の流量を検出する流量検出部４４と、流量検出部４４により検出された冷却水の流量および予め設定されたポンプ３２，３５，３８の流量揚程特性に基づき冷却水の流量を一定にする態様で駆動源供給部４１を制御する流量制御部４６と、を備える。
【００８０】
実施形態２の冷却水供給方法は、駆動源供給部４１から供給される駆動源により駆動されるモータ３３，３６，３９でターボ形ポンプからなるポンプ３２，３５，３８を稼働させて被供給部に冷却水を送り出す冷却水供給方法であって、ポンプ３２，３５，３８により送り出される冷却水の流量を検出する流量検出工程と、流量検出工程により検出された冷却水の流量および予め設定された前記ポンプの流量揚程特性に基づき冷却水の流量を一定にする態様で駆動源供給部４１を制御する流量制御工程と、を含む。
【００８１】
この冷却水供給装置および冷却水供給方法によれば、冷却水を供給する被供給部における圧力変化などに応じてポンプ３２，３５，３８の流量が変化しても、当該流量を一定にすることで、ポンプ３２，３５，３８により送り出す冷却水の流量を安定させることができる。この結果、周波数に基づき回転数が一定の交流電源モータを使用しなくても冷却水の供給流量を安定させることができる。
【００８２】
また、実施形態２の冷却水供給装置では、被供給部の圧力を検出する圧力検出部４５をさらに備え、流量制御部４６は、圧力検出部４５により検出された被供給部の圧力が上昇し、かつ流量検出部４４により検出された冷却水の流量が減少した場合に、冷却水の流量を一定にする態様で駆動源の供給を増加させるように駆動源供給部４１を制御することが望ましい。
【００８３】
実施形態２の冷却水供給方法では、被供給部の圧力を検出する圧力検出工程をさらに含み、流量制御工程は、圧力検出工程により検出された被供給部の圧力が上昇し、かつ流量検出工程により検出された冷却水の流量が減少した場合に、冷却水の流量を一定にする態様で駆動源の供給を増加させるように駆動源供給部４１を制御することが望ましい。
【００８４】
この冷却水供給装置および冷却水供給方法によれば、被供給部の圧力を検出することで、流量検出部４４により検出された冷却水の流量が減少した要因が被供給部の圧力の上昇であることを確認し、駆動源の供給を増加させるように駆動源供給部４１を制御することで、適した制御を行うことができ、冷却に必要な冷却水の流量を確保することができる。
【００８５】
また、実施形態２の冷却水供給装置では、被供給部の圧力を検出する圧力検出部４５をさらに備え、流量制御部４６は、圧力検出部４５により検出された被供給部の圧力が下降し、かつ流量検出部４４により検出された冷却水の流量が増加した場合に、冷却水の流量を一定にする態様で駆動源の供給を減少させるように駆動源供給部４１を制御することが望ましい。
【００８６】
実施形態２の冷却水供給方法では、被供給部の圧力を検出する圧力検出工程をさらに含み、流量制御工程は、圧力検出工程により検出された被供給部の圧力が下降し、かつ流量検出工程により検出された冷却水の流量が増加した場合に、冷却水の流量を一定にする態様で駆動源の供給を減少させるように駆動源供給部４１を制御することが望ましい。
【００８７】
この冷却水供給装置および冷却水供給方法によれば、被供給部の圧力を検出することで、流量検出部４４により検出された冷却水の流量が増加した要因が被供給部の圧力の下降であることを確認し、駆動源の供給を減少させるように駆動源供給部４１を制御することで、適した制御を行うことができ、過大流量域でポンプ３２，３５，３８が有効吸込水頭不足になることで冷却水の送り出しができなくなる事態を防いで冷却に必要な冷却水の流量を確保することができ、かつポンプ３２，３５，３８の破損を防ぐことができる。
【００８８】
なお、交流電源モータでは、被供給部の圧力が下降した場合、実施形態２のように駆動源供給部４１を制御して駆動源の供給を減少させて冷却水の流量を一定にすることはできず、別途、流量調整弁を設けたり、インバータを設けて周波数を変えたりしなければならない。原子力発電設備１００においては、耐震性の観点から汎用インバータは使用が難しく、流量調整弁のように別途構成を増やすことは避けたい実情があり好ましくない。
【００８９】
なお、実施形態２の冷却水供給装置および冷却水供給方法において、上述した実施形態１のように回転数制御部４３によりモータ３３，３６，３９の回転数を監視して駆動源供給部４１をフィードバック制御する装置や方法を含んでいてもよい。従って、モータ３３，３６，３９の回転数を適正化しつつ、ポンプ３２，３５，３８による流量を適正化することができるため、冷却水の供給流量を安定させる効果をより顕著に得ることができる。この場合、実施形態１の回転数制御部４３と実施形態２の流量制御部４６は、それぞれ独立したコンピュータから構成されていても、同一のコンピュータから構成されていてもよい。
【００９０】
また、実施形態１，２の冷却水供給装置では、モータ３３，３６，３９は、駆動源供給部４１により供給される圧縮空気により駆動されるエア駆動モータであることが好ましい。また、実施形態１，２の冷却水供給装置では、モータ３３，３６，３９は、駆動源供給部４１により供給される直流電圧により駆動される直流駆動モータであってもよい。また、実施形態１，２の冷却水供給装置では、モータ３３，３６，３９は、駆動源供給部４１により供給される高圧液により駆動される液圧駆動モータであってもよい。
【００９１】
エア駆動モータ、直流駆動モータ、および液圧駆動モータは、交流電源を使用しないモータであり、全交流電源喪失時における非常用の設備として適している。特に、エア駆動モータは、空気を利用することから、供給源は豊富であり、かつ大気中への排出も可能であるためより適している。
【００９２】
また、実施形態１，２の冷却水供給装置では、原子力発電設備１００における非常用炉心冷却設備に用いられることが好ましい。
【００９３】
この冷却水供給装置では、周波数に基づき回転数が一定の交流電源モータを使用しなくても冷却水の供給流量を安定させることができるため、原子力発電設備１００における非常用炉心冷却設備に好適である。
【符号の説明】
【００９４】
２  加圧水型原子炉炉心
３１  バイパス配管
３２  補助高圧注入ポンプ（ポンプ）
３３  補助高圧注入モータ（モータ）
３４  バイパス配管
３５  補助余熱除去ポンプ（ポンプ）
３６  補助余熱除去モータ（モータ）
３７  バイパス配管
３８  補助格納容器スプレイポンプ（ポンプ）
３９  補助格納容器スプレイモータ（モータ）
４１  駆動源供給部
４２  回転数検出部
４３  回転数制御部
４４  流量検出部
４５  圧力検出部
４６  流量制御部
１００  原子力発電設備
【図１】
2019190966.tif 000003
【図２】
2019190966.tif 000004
【図３】
2019190966.tif 000005
【図４】
2019190966.tif 000006
【図５】
2019190966.tif 000007
【図６】
2019190966.tif 000008